(57)【要約】【課題】  汚染物質を吸収した植物を簡単に撤去することができ、浄化作業効率を向上させることができる汚染土壌の浄化方法を提供する。【解決手段】  植物１５を保持した面状の敷設部材を汚染物質を含む土壌面に載置し、一定期間発育させた後、土壌から養分を吸収し成長した植物を敷設部材と共に土壌面１１ａから撤去する。  そのため、敷設部材と共に植物をも一挙に撤去することができ浄化作業の効率が極めて良い。  また、敷設部材を面状の敷設部材とすることで巻き取りが可能となり作業がより簡単となる。【選択図】  図６
2005169318.tif 000002
【特許請求の範囲】
【請求項１】
植物を保持した面状の敷設部材を汚染物質を含む土壌面に載置し、一定期間発育させた後、土壌から養分を吸収し成長した植物を敷設部材と共に土壌面から撤去することを特徴とする汚染土壌の浄化方法。
【請求項２】
請求項１に記載の汚染土壌の浄化方法において、
前記植物は、養分と共に汚染物質を積極的に吸収する植物であることを特徴とする汚染土壌の浄化方法。
【請求項３】
請求項１に記載の汚染土壌の浄化方法において、
前記敷設部材は、屈曲自在な網地、編地、又は織地からなることを特徴とする汚染土壌の浄化方法。
【請求項４】
請求項３に記載の汚染土壌の浄化方法において、
前記敷設部材を植物と共にロール状に巻き取りながら土壌面から撤去することを特徴とする汚染土壌の浄化方法。
【請求項５】
請求項１に記載の汚染土壌の浄化方法において、
前記植物は、敷設部材を土壌面に載置させるときに、敷設部材に取付けられた保持部材を介して敷設部材に保持されていることを特徴とする汚染土壌の浄化方法。
【請求項６】
請求項５に記載の汚染土壌の浄化方法において、
前記植物の保持部材は、種を保持するよう構成されてなり、敷設部材に対し一定間隔ごとに均等配置されることを特徴とする汚染土壌の浄化方法。
【請求項７】
請求項５に記載の汚染土壌の浄化方法において、
前記植物の保持部材は、苗を保持するよう構成されてなり、敷設部材に対し一定間隔ごとに均等配置されることを特徴とする汚染土壌の浄化方法。
【請求項８】
請求項５に記載の汚染土壌の浄化方法において、
前記植物の保持部材は、時間が経過するに連れてそれ自身が分解される生分解性樹脂で形成されることを特徴とする汚染土壌の浄化方法。
【請求項９】
請求項１に記載の汚染土壌の浄化方法において、
前記土壌面から撤去した後の敷設部材から植物を除去し、再度、敷設部材に汚染物質を吸収していない新たな植物を保持させ、その後に土壌面に載置することを特徴とする汚染土壌の浄化方法。
【請求項１０】
請求項５に記載の汚染土壌の浄化方法において、
植物を保持した前記保持部材の敷設部材に対する取付け間隔を植物を敷設する領域における土壌の汚染の度合いに応じて変えることを特徴とする汚染土壌の浄化方法。
【発明の詳細な説明】
【技術分野】
【０００１】
本発明は、ポリ塩化ビフェニール類（以下、「ＰＣＢｓ」という）、ダイオキシン類等の汚染物質により汚染された土壌を浄化するための汚染土壌の浄化方法に関する。より詳しくは、植物が配設されたシート状の敷設部材を用いて、汚染物質により汚染された土壌を浄化させるための汚染土壌の浄化方法に関する。
【背景技術】
【０００２】
従来から、ＰＣＢｓ（Ｃ１２Ｈ１０−ｍＣｌｎ）やダイオキシン類を含む土壌汚染が社会問題となっている。そのため、汚染土壌を浄化することに対する重要性が一段と高まって来ている。
【０００３】
因みに、ジベンゾパラジオキシンの塩素化合物の通称であり、極めて毒性の高い物質といわれている。
２つのベンゼン環に付く塩素の数と位置によって、７５種類の異性体があり、異性体毎に毒性は大きく異なる。
【０００４】
汚染土壌を浄化する方法としては、浄化剤を用いた方法が知られている（例えば、特許文献１参照）。
特許文献１には、ＯＨラジカル発生剤であるＦｅ２＋をマイクロカプセルで包含したものを、汚染土壌に散布した後、過酸化水素（Ｈ２Ｏ２）を散布するものが開示されている。
【０００５】
しかしながら、このような浄化剤を用いるとＰＣＢｓやダイオキシン類のようなハロゲン化有機化合物は分解され汚染土壌は浄化されるが、同時に反応生成物（Ｃｌ２）が発生し二次汚染を及ぼすことがある。
【０００６】
そこで、汚染土壌に対して無害なバクテリアや植物を使って作用させる浄化方法が開発されている。
【０００７】
この方法としては、例えば、特許文献２に開示された浄化方法が知られている（特許文献２参照）。
この特許文献２には、ＰＣＢｓやダイオキシン類を吸収又は吸収分解する生育時期が異なる複数の植物を、ＰＣＢｓやダイオキシン類を含有する汚染土壌で生育させ収穫を行う方法が記載されている。
この方法は、二次汚染の恐れがなく、安全な方法といえる。
【０００８】
【特許文献１】特開２００３−１４５１２９号公報
【０００９】
【特許文献２】特開２００１−２７６８０３号公報
【発明の開示】
【発明が解決しようとする課題】
【００１０】
しかしながら、特許文献２に記載されるような従来の方法では、汚染物質を吸収した後に植物を収穫する場合に、その撤去の方法として通常の刈り取りに頼るしかなく、作業効率が悪いという問題があった。
そのために浄化効率から見て実際に行うにはまだ不十分である。
【００１１】
本発明は、かかる技術背景をもとになされたもので、上記の従来技術の問題点を克服するためになされたものである。
すなわち、本発明は、汚染物質を吸収した植物を簡単に撤去することができ、浄化作業効率を向上させることができる汚染土壌の浄化方法を提供することを目的とする。
【課題を解決するための手段】
【００１２】
すなわち本発明は、（１）、植物を保持した面状の敷設部材を汚染物質を含む土壌面に載置し、一定期間発育させた後、土壌から養分を吸収し成長した植物を敷設部材と共に土壌面から撤去する汚染土壌の浄化方法に存する。
【００１３】
そして、（２）、上記（１）に記載の汚染土壌の浄化方法において、前記植物は、養分と共に汚染物質を積極的に吸収する植物である汚染土壌の浄化方法に存する。
【００１４】
そしてまた、（３）、上記（１）に記載の汚染土壌の浄化方法において、前記敷設部材は、屈曲自在な網地、編地、又は織地からなる汚染土壌の浄化方法に存する。
【００１５】
そしてまた、（４）、上記（３）に記載の汚染土壌の浄化方法において、前記敷設部材を植物と共にロール状に巻き取りながら土壌面から撤去する汚染土壌の浄化方法に存する。
【００１６】
そしてまた、（５）、上記（１）に記載の汚染土壌の浄化方法において、前記植物は、敷設部材を土壌面に載置させるときに、敷設部材に取付けられた保持部材を介して敷設部材に保持されている汚染土壌の浄化方法に存する。
【００１７】
そしてまた、（６）、上記（５）に記載の汚染土壌の浄化方法において、前記植物の保持部材は、種を保持するよう構成されてなり、敷設部材に対し一定間隔ごとに均等配置される汚染土壌の浄化方法に存する。
【００１８】
そしてまた、（７）、上記（５）に記載の汚染土壌の浄化方法において、前記植物の保持部材は、苗を保持するよう構成されてなり、敷設部材に対し一定間隔ごとに均等配置される汚染土壌の浄化方法に存する。
【００１９】
そしてまた、（８）、上記（５）に記載の汚染土壌の浄化方法において、前記植物の保持部材は、時間が経過するに連れてそれ自身が分解される生分解性樹脂で形成される汚染土壌の浄化方法に存する。
【００２０】
そしてまた、（９）、上記（１）に記載の汚染土壌の浄化方法において、前記土壌面から撤去した後の敷設部材から植物を除去し、再度、敷設部材に汚染物質を吸収していない新たな植物を保持させ、その後に土壌面に載置する汚染土壌の浄化方法に存する。
【００２１】
そしてまた、（１０）、上記（５）に記載の汚染土壌の浄化方法において、植物を保持した前記保持部材の敷設部材に対する取付け間隔を植物を敷設する領域における土壌の汚染の度合いに応じて変える汚染土壌の浄化方法に存する。
【００２２】
なお、本発明の目的に沿ったものであれば、上記各請求項を適宜組み合わせた構成も採用可能である。
【発明の効果】
【００２３】
本発明によれば、植物を保持した面状の敷設部材を汚染物質を含む土壌面に載置し、一定期間発育させた後、土壌から養分を吸収し成長した植物を敷設部材と共に土壌面から撤去することで、敷設部材と共に植物をも一挙に撤去することができ浄化作業の効率が極めて良い。
また、敷設部材を面状の敷設部材とすることで巻き取りが可能となり作業がより簡単となる。
【００２４】
一般に植物には、成長時期により、吸収する物質群の構成比率が異なるために、このことを利用して、本発明においては、種子や苗等の成長度合いの異なるものを使って、対象となる汚染物質を選択的に吸収することが可能である。
また、植物（種子、苗等）自体の種別によっても、吸収し易い汚染物質が異なることから、植物の種類を選択することにより、同様に対象となる汚染物質を選択的に吸収することが可能である。
【００２５】
また植物（種子、苗等）の種類による成長時期の違いによっても、敷設する時期を選ぶことにより同様に対象となる汚染物質を選択的に吸収することが可能である。
例えば、種を使った場合は、全成長過程を土壌の浄化にフルに使えることとなり、またロール状に敷設部材を巻いた状態でも的確にその間に収まる利点もある。
また、保持部材を使った場合は、敷設部材に対する取付間隔を変える等の取付位置の調整により、敷設する領域における土壌の汚染の度合いに対応させることができる。
【００２６】
また、本発明は面状の敷設部材を敷設して土壌を浄化することができるために、浄化する領域を明確に区別することができる利点がある。
そのため、一定の領域を敷設部材のブロック毎に正確な面積で浄化できるために浄化計画が容易となる。
【発明を実施するための最良の形態】
【００２７】
以下、本発明を実施するための最良の形態を図面に基づいて説明する。
図１は、本発明の一実施形態に係る汚染土壌の浄化方法のフローチャートである。
以下、ステップ毎に本発明の汚染土壌の浄化方法について説明する。
【００２８】
（ステップＳ１）
先ず、ステップＳ１では、面状の敷設部材として図２に示すようなマット部材１を準備する。
図に示すマット部材１は、好ましくは、メッシュ目を有する網地、編地、又は織地からなる矩形状のシート部３を有している。
また、その材質も繊維材や合成樹脂材が採用される。
【００２９】
この矩形状のシート部３が編織された織地や編地である場合は、シート部３の端が解れないように、耳部５を形成することが好ましい。
シート部３には、その長手方向と幅方向とに整列した多数の穴３ａ、例えば長方形の穴が形成されている。
シート部３には、種子７を保持するための複数の保持部材、すなわち種子保持部材９が所定の位置に取り付けられている。
この図では、種子保持部材９は一定間隔ごとに整然と均等に配置して取り付けられ、また種子７の保持する位置も種子保持部材９に３箇所ある場合を示した。
【００３０】
シート部３には、種子７等の植物が保持される必要があるが、その穴３ａは一定大きさの空間を有するものなので、苗や、大きい種子ならばともかく、通常、種子を直接保持することは困難な場合が多い。
そのため、種子７は種子７を保持することができる種子保持部材９を使ってシート部３に保持することが好ましい。
【００３１】
簡単な種子保持部材としては、種子を紙等で包んだ状態で保持し（この場合紙が種子保持部材となる）、シート部３の穴３ａに圧入することで取り付ける方法がある。
また、プラスチック片や木片等の材料で種子を保持し（この場合、プラスチック片や木片が種子保持部材となる）、このプラスチック片や木片をシート部に取り付ける方法がある。
【００３２】
ここで種子保持部材９であるプラスチック片が生分解性樹脂で形成されている場合、後述するように、種子７が育成される段階で種子保持部材９は分解するために、種子７の成長に支障となることはない。
また、シート部３のメッシュ目の大きさは、シート部３を形成する網地、編地、又は織地により異なってくるために、種子７が発芽して成長する場合に支障とならない大きさのものを選択しておくことが重要である。
【００３３】
（ステップＳ２）
ステップＳ２では、ロール状に巻かれたマット部材１を敷設現場に運搬し、図３に示すように汚染土壌１１の土壌面１１ａにマット部材１を敷設する。
マット部材１を敷設するには、先ず、ロール状のマット部材１の一端を所定位置に合わせ、それからロール部分を転がし、徐々に広げて敷設していく。
敷設部材であるマット部材１は、屈曲自在であるために容易に展開して一定の面積に効率よく敷設することができる。
【００３４】
（ステップＳ３）
ステップＳ３では、マット部材１が汚染土壌１１の土壌面１１ａに敷設されると、マット部材１に設けられた種子７（具体的には種子保持部材９に保持された種子７）が発芽し、苗１３へと成長する（図４参照）。
苗１３は、種子７の配置された位置で成長しているために、その領域の土壌の養分や汚染物質を汚染土壌１１から吸収する。
【００３５】
種子保持部材９をシート部３の全体に均一に取り付けた場合（例えば、取付間隔を一定に配置した場合）は、マット部材１を敷設した領域の土壌面１１ａの汚染物質を均等に吸収して浄化することができる。
一方、種子保持部材９をシート部３の一部に密度を高めて取り付けた場合（取付間隔を狭めて配置した場合）は、マット部材１を敷設した領域の土壌面１１ａの汚染物質は、その密度の高い部分で集中的に吸収することができる。
このように、種子保持部材９の敷設部材に対する取付間隔を変える等の取付位置の調整により、敷設する領域における汚染土壌１１の汚染の度合いに対応させることができる。
【００３６】
（ステップＳ４）
ステップＳ４では、苗１３が成長し、遂には開花した植物１５へと成長する（図５参照）。
根１５ａは広範囲に且つ深く成長し、多くの養分や汚染物質を吸収するようになる。
ここで植物１５の開花した花等は切り取って回収することも可能である。
また、種子保持部材９が生分解性樹脂よりなるものであれば、この時点でほぼ分解されているために植物１５の横方向（茎の断面方向）への成長を阻害することがない。
【００３７】
（ステップＳ５）
ステップＳ５では、図６に示すように、ステップＳ１で行った場合と逆の作業を行って、植物１５と共にマット部材１をロール状に巻き取っていく。
マット部材１には、その穴を通して既に植物１５が絡んでいるが、マット部材１をロール状にして転がす操作により同時に植物１５がマット部材１に巻き込まれていくためにその撤去が簡単である。
巻込みが終わった後は、そのマット部材１をトラック等の荷台まで移動する。
ここで、この移動は例えばマット部材１の幅方向の両端側にそれぞれ金属製のワイヤー１７を巻き付けた形（図７参照）とし、クレーン等で引っ張り上げることにより行うことが好ましい。
【００３８】
（ステップＳ６）
ステップＳ６では、マット部材１を再利用するかしないか、すなわち再利用の可否を判断する。
結果として再利用するならば、ステップＳ７に進む。
一方、再利用しないのであれば、マット部材１を廃棄処分にすることで、一連の流れが終了する。
【００３９】
（ステップＳ７）
ステップＳ７では、再利用するマット部材１が工場に回収されて持ち込まれ、マット部材１が洗浄される。
更に、シート部３に新たな汚染物質を吸収していない種子保持部材９が取り付けられマット部材１の再利用への準備が行われる。
そして、実際に敷設する必要が生じたら、ステップＳ２へ戻り、上記工程が繰り返される。
このように、マット部材１を何度も再利用することにより資源の有効利用が可能である。
【００４０】
上述した実施の形態では、マット部材１に種子７を保持させた例について説明したが、種子７よりも成長した苗１３を保持させるようにしても良い。
このような場合は、保持部材としては苗１３を保持するための苗保持部材をシート部３に取り付けることとなる。
【００４１】
図８は、他の実施の形態に係る汚染土壌の浄化方法の流れを示したフローチャートである。
苗１３は、種子７から成長したものなので、種子７の発芽を待たなくても良く、より迅速に汚染土壌１１の浄化を行うことができる。
植物によっては、成長過程により吸収物質が異なる種類のものもあり、このような特性を利用することで、より効率的に汚染物質の吸収が可能となる。
【００４２】
本発明の保持部材に保持される植物としては、少なくとも汚染物質を吸収するものであれば適用可能である。
例えば、ＰＣＢｓやダイオキシン類の汚染物質を吸収又は吸収分解する植物で、秋から春にかけて主に生育する植物としては、アブラナ科、セリ科、又はマメ科等の植物、例えばアブラナ、レンゲ、キャラウェイ等が挙げられる。
【００４３】
一方、春から夏にかけて主に生育する植物としてはナス科、アカザ科、マメ科、キク科、イネ科、ユキノシタ科、ウリ科、又はシソ科等の植物、例えば、ベラドンナ、コスモス、フダンソウ、アジサイ、サルビア等が挙げられる。
【００４４】
以上、本発明を説明してきたが、本発明はその実施の形態に拘束されることなく種々の変形例が可能である。
敷設部材であるマット部材の形は矩形のものに限らず、他の形状、台形、角形等のものも採用することができる。
【００４５】
また、保持部材が生分解性樹脂でなく通常の合成樹脂で形成されている場合も当然採用可能であり、その場合はマット部材を巻き取る際に支障とならないような構造のものを使うことが好ましい。
また、保持部材を使わない場合もあり得るが、その場合は直接、シート部３の上に単に植物（種子、苗等）を載置するか、又はメッシュ目にそれらを保持しておくこととなる。
また、植物と共に敷設部材を土壌面から撤収する場合を、シート状のマット部材１をロール状に巻き取りながら撤収する例で示したが、他の撤収方法、例えば、マット部材１を折り畳んで撤収すること等も当然可能である。
【図面の簡単な説明】
【００４６】
【図１】図１は、本発明の一実施形態に係る汚染土壌の浄化方法を示すフローチャートである。
【図２】図２は、本発明の一実施形態に係る汚染土壌の浄化方法に使用される敷設部材であるマット部材を示す説明図である。
【図３】図３は、図２のマット部材を敷設している状態を示す説明図である。
【図４】図４は、図２のマット部材が敷設され、種子が発芽し苗になった状態を示す説明図である。
【図５】図５は、図４の苗が成長し開花した状態を示す説明図である。
【図６】図６は、図５のマット部材が植物と共にロール状に巻かれた状態を示す説明図である。
【図７】図７は、マット部材の巻込みが終わった後の状態を示す説明図である。
【図８】図８は、他の実施の形態に係る汚染土壌の浄化方法を示すフローチャートである。
【符号の説明】
【００４７】
１  マット部材
３  シート部
３ａ  穴
５  耳部
７  種子
９  種子保持部材
１１  汚染土壌
１１ａ  土壌面
１３  苗
１５  植物
１５ａ  根
１７  ワイヤー
【図１】
2005169318.tif 000003
【図２】
2005169318.tif 000004
【図３】
2005169318.tif 000005
【図４】
2005169318.tif 000006
【図５】
2005169318.tif 000007
【図６】
2005169318.tif 000008
【図７】
2005169318.tif 000009
【図８】
2005169318.tif 000010